(57)【要約】【課題】  人体の有無を検知して燃焼量を可変し、燃料消費量の低減と快適暖房を実現できる温風暖房機を提供する。【解決手段】  運転中に人体検知手段２３が人が不在な状態を検知するとタイマー部１７の計時を開始し、該タイマー部１７の計時が第一の所定時間に達するとバーナ５の火力を固定火力に下げ、更に人が不在な状態のままタイマー部１７の計時が第二の所定時間に達すると運転を停止する制御部２４とを備え、前記制御部２４は前記タイマー部１７の計時が第一の所定時間に達してバーナ５の火力を固定火力に下げる時、固定火力まで下げる途中で、前記炎検知手段２２により炎が不安定と判断したら、その炎が不安定と判断したときの火力と所定火力とを比較し、その炎が不安定と判断したときの火力が所定火力以上の時、固定火力を前記所定火力とするので、炎の状態が安定するが消費する燃油量が多くて省エネ運転にならないのを防止できる。【選択図】  図３
2019095195.tif 000002
【特許請求の範囲】
【請求項１】
バーナと、該バーナに燃料を供給する電磁ポンプと、前記バーナに燃焼空気を送る燃焼用ファンと、前記バーナでの燃焼ガスに空気を混合させて温風として温風吹出口から吹き出させる送風ファンと、前記バーナの炎を検知する炎検知手段と、時間を計時するタイマー部と、人の存在の有無を検知する人体検知手段と、運転中に人体検知手段が人が不在な状態を検知するとタイマー部の計時を開始し、該タイマー部の計時が第一の所定時間に達するとバーナの火力を固定火力に下げ、更に人が不在な状態のままタイマー部の計時が第二の所定時間に達すると運転を停止する制御部とを備えた温風暖房機に於いて、前記制御部は前記タイマー部の計時が第一の所定時間に達してバーナの火力を固定火力に下げる時、固定火力まで下げる途中で、前記炎検知手段により炎が不安定と判断したらその炎が不安定と判断したときの火力と所定火力とを比較し、その炎が不安定と判断したときの火力が所定火力以上の時、固定火力を前記所定火力とすることを特徴とする温風暖房機。
【請求項２】
バーナと、該バーナに燃料を供給する電磁ポンプと、前記バーナに燃焼空気を送る燃焼用ファンと、前記バーナの炎を検知する炎検知手段と、前記バーナでの燃焼ガスに空気を混合させて温風として温風吹出口から吹き出させる送風ファンと、時間を計時するタイマー部と、人の存在の有無を検知する人体検知手段と、運転中に人体検知手段が人が不在な状態を検知するとタイマー部の計時を開始し、該タイマー部の計時が第一の所定時間に達するとバーナの火力を固定火力に下げ、更に人が不在な状態のままタイマー部の計時が第二の所定時間に達すると運転を停止する制御部とを備えた温風暖房機に於いて、前記制御部は前記タイマー部の計時が第一の所定時間に達してバーナの火力を固定火力に下げる時、固定火力まで下げる途中で、前記炎検知手段により炎が不安定と判断したらその炎が不安定と判断したときの火力と所定火力とを比較し、その炎が不安定と判断したときの火力が所定火力より小さい時バーナの火力を上げ、前記炎検知手段により炎が不安定と判断したまま上げた火力が所定火力に達したとき、固定火力を前記所定火力とすることを特徴とする温風暖房機。
【発明の詳細な説明】
【技術分野】
【０００１】
本発明は、本発明は人の存在を検知して燃焼量の制御及び消火を行う温風暖房機に関するものである。
【背景技術】
【０００２】
従来、この種のものに於いては、 運転スイッチの信号に基づいてバーナの燃焼の開始と停止を行うと共に、燃焼中のバーナの燃焼量を可変する燃焼制御手段と、温風暖房機の付近の人の存在を検知する人体検出手段と、人体不検知中をカウントする長短二つの計時機能を備えたタイマー手段と、燃焼制御手段へ燃焼制御信号を出力する燃焼規制手段とを設け、燃焼規制手段は人体不検知中のタイマー手段の短い所定時間のカウントアップ出力でバーナの燃焼量を微小燃焼に変更し、長い所定時間のカウントアップ出力で燃焼を停止し、燃料消費量の低減を行い、また、微小燃焼中に人体を検知したときは、直接もしくはバーナの最大燃焼量を経て、燃焼制御手段による燃焼制御を再開するものであった。（例えば、特許文献１参照。）
【先行技術文献】
【特許文献】
【０００３】
【特許文献１】特開２００６−１８３８９０号公報
【発明の概要】
【発明が解決しようとする課題】
【０００４】
ところで、この従来のものでは、人体不検知中のタイマー手段の短い所定時間のカウントアップ出力でバーナの燃焼量を微小燃焼に変更するが、室温が低い場合や、スプレー等のシリコンが炎検知手段のフレームロッドに付着しているためにフレームロッド電圧が不安定になったり低くなったりする場合、一気に燃焼量を微小燃焼に変更すると、燃焼が不安定になって失火してしまうという問題があった。
【課題を解決するための手段】
【０００５】
上記課題を解決するために、本発明の請求項１では、バーナと、該バーナに燃料を供給する電磁ポンプと、前記バーナに燃焼空気を送る燃焼用ファンと、前記バーナでの燃焼ガスに空気を混合させて温風として温風吹出口から吹き出させる送風ファンと、前記バーナの炎を検知する炎検知手段と、時間を計時するタイマー部と、人の存在の有無を検知する人体検知手段と、運転中に人体検知手段が人が不在な状態を検知するとタイマー部の計時を開始し、該タイマー部の計時が第一の所定時間に達するとバーナの火力を固定火力に下げ、更に人が不在な状態のままタイマー部の計時が第二の所定時間に達すると運転を停止する制御部とを備えた温風暖房機に於いて、前記制御部は前記タイマー部の計時が第一の所定時間に達してバーナの火力を固定火力に下げる時、固定火力まで下げる途中で、前記炎検知手段により炎が不安定と判断したらその炎が不安定と判断したときの火力と所定火力とを比較し、その炎が不安定と判断したときの火力が所定火力以上の時、固定火力を前記所定火力とするものである。
【０００６】
また、請求項２では、バーナと、該バーナに燃料を供給する電磁ポンプと、前記バーナに燃焼空気を送る燃焼用ファンと、前記バーナの炎を検知する炎検知手段と、前記バーナでの燃焼ガスに空気を混合させて温風として温風吹出口から吹き出させる送風ファンと、時間を計時するタイマー部と、人の存在の有無を検知する人体検知手段と、運転中に人体検知手段が人が不在な状態を検知するとタイマー部の計時を開始し、該タイマー部の計時が第一の所定時間に達するとバーナの火力を固定火力に下げ、更に人が不在な状態のままタイマー部の計時が第二の所定時間に達すると運転を停止する制御部とを備えた温風暖房機に於いて、前記制御部は前記タイマー部の計時が第一の所定時間に達してバーナの火力を固定火力に下げる時、固定火力まで下げる途中で、前記炎検知手段により炎が不安定と判断したらその炎が不安定と判断したときの火力と所定火力とを比較し、その炎が不安定と判断したときの火力が所定火力より小さい時バーナの火力を上げ、前記炎検知手段により炎が不安定と判断したまま上げた火力が所定火力に達したとき、固定火力を前記所定火力とするものである。
【発明の効果】
【０００７】
この発明の請求項１によれば、前記制御部は前記タイマー部の計時が第一の所定時間に達してバーナの火力を固定火力に下げる時、固定火力まで下げる途中で、前記炎検知手段により炎が不安定と判断したらその炎が不安定と判断したときの火力と所定火力とを比較し、その炎が不安定と判断したときの火力が所定火力以上の時、固定火力を前記所定火力とするので、炎の状態が安定するが消費する燃油量が多くなって省エネ運転にならなくなるのを防止できるものである。
【０００８】
又、請求項２によれば、前記制御部は前記タイマー部の計時が第一の所定時間に達してバーナの火力を固定火力に下げる時、固定火力まで下げる途中で、前記炎検知手段により炎が不安定と判断したらその炎が不安定と判断したときの火力と所定火力とを比較し、その炎が不安定と判断したときの火力が所定火力より小さい時バーナの火力を上げ、前記炎検知手段により炎が不安定と判断したまま上げた火力が所定火力に達したとき、固定火力を前記所定火力とするので、炎の状態が安定するが消費する燃油量が多くなって省エネ運転にならなくなるのを防止できるものである。
【図面の簡単な説明】
【０００９】
【図１】この発明の一実施例を付した温風暖房機の斜視図。
【図２】同ブロック図。
【図３】同フローチャート図。
【発明を実施するための形態】
【００１０】
次にこの発明に係る温風暖房機を図面に示す一実施例で説明する。
１は温風吹出口で、本体２の前面パネル３に設けた可動ルーバー４により開閉されるものである。
【００１１】
５はバーナで、運転開始時には所定温度までヒータ６により加熱され、燃焼用ファン７により吸い込まれる燃焼用空気と電磁ポンプ８により供給される燃料とを混合してガス化し、それを点火手段９にて点火してガス化し燃焼させるものである。
【００１２】
尚、本実施例では、燃焼の火力レベルは１〜２５レベルまであり、そのうち上下２レベルは火力調整用であり、燃焼制御運転での火力レベルは３〜２３レベルまであり、そのうち火力レベル３レベルが最弱レベル、火力レベル５レベルが弱レベル、火力レベル１０レベルが中レベル、火力レベル２１レベルが強レベル、火力レベル２３が最強レベルに設定されているものである。
【００１３】
前記燃焼ガスはバーナ５の上部に設けられた燃焼筒（図示せず）の上部開口（図示せず）より上方に流れ、送風ファン１０によりバーナ５の燃焼によって発生した熱を送風と共に温風として温風吹出口１より吹き出させ、室温センサ１１により検知される室温が設定温度になるように暖房運転を行うものである。
【００１４】
１２は暖房運転のオン・オフを行う運転スイッチ１３や省エネ運転スイッチ１４等の各種スイッチを備えた操作部である。
１５は表示部で、設定温度や室温センサ１１により検知される室温等表示するものである。
１６は報知部で、各種警報音や音声等により報知を行うものである。  
【００１５】
１７はタイマー部で、長時間を計時する長タイマー部１８と、短時間を計時する短タイマー部１９とを備えるものである。
２０は不揮発性の記憶手段であるＥＥＰＲＯＭ等で構成される記憶部で、検知された室温や運転状態等各種情報等を記憶するものである。
２１はバーナ温度検知手段で、バーナ５の温度を検知するものである。
【００１６】
２２は炎検知手段で、バーナ５の炎に接触するフレームロッド（図示せず）のフレームロッド電圧により炎を検知するものである。
２３は赤外線を検知する人感センサで構成された人体検出手段で、本体２の前面上部に設けられ、温風暖房機付近の人の存在の有無を検知するものである。
２４は制御部で、暖房運転の制御や停電復帰時の制御等行うものである。
【００１７】
次に省エネ運転制御について図３により説明する。
前記操作部１２の省エネ運転スイッチ１４を操作して（Ｓ１）、省エネ運転が行われている時（Ｓ２）、人体検出手段２３が人の存在の有無を検知し（Ｓ３）、人の存在を検知している時は、設定温度と現在室温の温度数値とを比較し、最適な燃料流量と供給空気量を指示する通常の燃焼制御運転を行い、人の存在を検知しない時は、タイマー部１７の長タイマー部１８の計時を開始させる。（Ｓ４）
【００１８】
そして次に人体検出手段２３が人の存在の有無を検知し（Ｓ５）、人の存在を検知した時は、長タイマー部１８の計時を停止してリセットし（Ｓ６）、設定温度と現在室温の温度数値とを比較し、最適な燃料流量と供給空気量を指示する通常の燃焼制御運転に戻り（Ｓ７）、そして（Ｓ１）に戻るものである。
【００１９】
又、（Ｓ５）で人の存在を検知しない時は、その人の存在を検知しない状態で長タイマー部１８の計時が第一の所定時間以上、本実施例では１０分以上になったかを判断し（Ｓ８）、長タイマー部１８の計時が１０分未満では（Ｓ５）に戻り、長タイマー部１８の計時が１０分以上になった時、次に炎検知手段２２のフレームロッド電圧が所定電圧以下を所定時間、本実施例ではフレームロッド電圧４．３Ｖ以下が０．５秒以上継続したかを判断する。（Ｓ９）
【００２０】
（Ｓ９）でフレームロッド電圧４．３Ｖ以下が０．５秒以上継続しなかった時、現状の燃焼制御運転での火力レベルではスプレー等のシリコンが炎検知手段のフレームロッドに付着してフレームロッド電圧が不安定になったり低くなったりする状態にはならないと判断し、次に今の燃焼制御運転での火力レベルが火力の弱レベル、本実施例では５レベル以下かを判断する。（Ｓ１０）
【００２１】
（Ｓ１０）で今の燃焼制御運転での火力レベルが弱レベルの５レベルより大きい時、次に今の燃焼制御運転での火力レベルを１レベル下げて（Ｓ１１）、（Ｓ９）に戻り、（Ｓ１０）で今の燃焼制御運転での火力レベルが弱レベルの５レベル以下の時、次に室温センサ１１により検知される室温が、操作部１２を操作して設定できる設定温度の最小設定温度未満、本実施例では１２℃未満かを判断し（Ｓ１２）、室温が最小設定温度の１２℃未満の時、火力を最弱レベル、本実施例では３レベルまで下げると燃焼が不安定になると判断して、省エネ運転の無人状態での火力固定レベルを弱レベルの５レベルに設定するものである。（Ｓ１３）
【００２２】
又、（Ｓ１２）で室温が最小設定温度の１２℃以上の時、次に今の燃焼制御運転での火力レベルが最弱レベル、本実施例では３レベル以下かを判断する。（Ｓ１４）
そして（Ｓ１４）で今の燃焼制御運転での火力レベルが最弱レベルの３レベルより大きい時は（Ｓ１１）に戻り、（Ｓ１４）で今の燃焼制御運転での火力レベルが最弱レベルの３レベル以下の時は、火力を最弱レベル、本実施例では３レベルまで下げても燃焼が不安定にならないと判断して、省エネ運転の無人状態での火力固定レベルを最弱レベルの３レベルに設定するものである。（Ｓ１５）
【００２３】
又、（Ｓ９）でフレームロッド電圧４．３Ｖ以下が０．５秒以上継続した時、現状の燃焼制御運転での火力レベルではスプレー等のシリコンが炎検知手段のフレームロッドに付着してフレームロッド電圧が不安定になったり低くなったりする状態であると判断し、次に今の燃焼制御運転での火力レベルが中レベル、本実施例では１０レベル以上かを判断する。（Ｓ１６）
【００２４】
そして（Ｓ１６）で今の燃焼制御運転での火力レベルが中レベル以上の時、燃焼が不安定になったり、失火したりする可能性はあるものの、省エネ運転の無人状態での火力固定レベルを中レベルより大きく設定すると、省エネの効果が望めないと判断して、省エネ運転の無人状態での火力固定レベルを中レベルの１０レベルに設定するものである。（Ｓ１７）
【００２５】
又、（Ｓ１６）で今の燃焼制御運転での火力レベルが中レベル未満、本実施例では１０レベル未満の時、次に今の燃焼制御運転での火力レベルを１レベル大きく設定し、次に短タイマー部１９の計時を開始させる。（Ｓ１９）
【００２６】
そして次に、短タイマー部１９の計時が所定時間以上になったかを判断し（Ｓ２０）、本実施例では短タイマー部１９の計時が所定時間の２分間未満では人体検出手段２３が人の存在の有無を検知し（Ｓ２１）、人の存在を検知した時は、短タイマー部１９の計時を停止してリセットしてから（Ｓ２２）、（Ｓ６）に戻り、（Ｓ２１）で人の存在を検知しない時は、（Ｓ２０）に戻るものである。
【００２７】
そして、（Ｓ２０）で短タイマー部１９の計時が所定時間以上、本実施例では短タイマー部１９の計時が所定時間の２分間以上になった時、短タイマー部１９の計時を停止してリセットしてから（Ｓ２３）、次に炎検知手段２２のフレームロッド電圧が所定電圧以下を所定時間、本実施例ではフレームロッド電圧４．３Ｖ以下が０．５秒以上継続したかを判断する。（Ｓ２４）
【００２８】
そして（Ｓ２４）でフレームロッド電圧４．３Ｖ以下が０．５秒以上継続しなかった時、現状の燃焼制御運転での火力レベルでフレームロッド電圧が不安定になったり低くなったりする状態にはならないと判断し、次に今の燃焼制御運転での火力レベルが中レベル、本実施例では１０レベル以上かを判断する。（Ｓ２５）
【００２９】
そして（Ｓ２５）で今の燃焼制御運転での火力レベルが中レベルの１０レベル未満の時は、今の火力レベルならフレームロッド電圧が不安定になったり低くなったりする状態にはならないと判断して、省エネ運転の無人状態での火力固定レベルを今の火力レベルに設定するものである。（Ｓ２６）
【００３０】
又、（Ｓ２５）で今の燃焼制御運転での火力レベルが中レベルの１０レベル以上の時は、燃焼が不安定になったり、失火したりする可能性はあるものの、省エネ運転の無人状態での火力固定レベルを中レベルより大きく設定すると、省エネの効果が望めないと判断して、省エネ運転の無人状態での火力固定レベルを中レベルの１０レベルに設定する（Ｓ１７）に進むものである。
【００３１】
又、（Ｓ２４）でフレームロッド電圧４．３Ｖ以下が０．５秒以上継続した時、次に今の燃焼制御運転での火力レベルが中レベル、本実施例では１０レベル以上かを判断する。（Ｓ２７）
【００３２】
そして（Ｓ２７）で今の燃焼制御運転での火力レベルが中レベルの１０レベル未満の時は（Ｓ１８）に戻り、（Ｓ２７）で今の燃焼制御運転での火力レベルが中レベルの１０レベル以上の時は、燃焼が不安定になったり、失火したりする可能性はあるものの、省エネ運転の無人状態での火力固定レベルを中レベルより大きく設定すると、省エネの効果が望めないと判断して、省エネ運転の無人状態での火力固定レベルを中レベルの１０レベルに設定する（Ｓ１７）に進むものである。
【００３３】
そして、（Ｓ１３）又は（Ｓ１５）又は（Ｓ１７）又は（Ｓ２６）にて設定された省エネ運転の無人状態での火力固定レベルで運転を継続するものである。
【００３４】
そして、（Ｓ１３）又は（Ｓ１５）又は（Ｓ１７）又は（Ｓ２６）にて省エネ運転の無人状態での火力固定レベルを設定した後、次に人の存在を検知しない状態で長タイマー部１８の計時が第二の所定時間以上、本実施例では５０分以上になったかを判断する。（Ｓ２７）
【００３５】
（Ｓ２７）で、長タイマー部１８の計時が５０分以上になった時は、室内に人が戻ってこないと判断して長タイマー部１８の計時を停止してリセットし（Ｓ２８）、次に消火動作を実施して（Ｓ２９）、運転を停止するものである。（Ｓ３０）
【００３６】
又、（Ｓ２７）で省エネ運転の無人状態での火力固定レベルを設定した後、人の存在を検知しない状態で長タイマー部１８の計時が第二の所定時間未満、本実施例では５０分未満の時は、次に人体検出手段２３が人の存在の有無を検知し（Ｓ３１）、（Ｓ３１）で人の存在を検知した時は（Ｓ６）に戻り、（Ｓ３１）で人の存在を検知しない時は、炎検知手段２２で失火していないか確認し（Ｓ３２）、（Ｓ３２）で失火していない場合は（Ｓ２７）に戻り、（Ｓ３２）で失火している場合は表示部１５にエラー表示をして（Ｓ３３）、（Ｓ３０）に進むものである。
【００３７】
以上のように省エネ運転中に人体検出手段２３が人の存在が無いのを検知して、その無人状態が所定時間継続した時、室温が所定温度以上の時は省エネ運転の無人状態での火力固定レベルを最弱火力に固定し、室温が所定温度以下の時は省エネ運転の無人状態での火力固定レベルを最弱火力より大きい弱火力に固定するので、室温が低い状態で火力を最弱火力に固定することで燃焼が不安定になり、場合によっては失火してしまうのを防止でき、無人状態が更に所定時間継続して運転停止する前に人が戻ってきた時に直ちに設定温度と現在室温の温度数値とを比較し、最適な燃料流量と供給空気量を指示する通常の燃焼制御運転に戻るので使い勝手がよいと共に、無人状態時の燃油の消費を抑えて省エネ運転を行うことができるものである。
【００３８】
又、省エネ運転中に人体検出手段２３が人の存在が無いのを検知して、その無人状態が所定時間継続した時、炎検知手段２２で燃焼している炎の状態を検知し、炎の状態が不安定と判断した時は、今の燃焼制御運転での火力レベルを１レベル大きく設定して炎の状態が安定したかを判断し、炎の状態が安定したと判断した時は、その時の火力レベルを省エネ運転の無人状態での火力固定レベルとして固定し、炎の状態がまだ不安定と判断した時は、更に今の燃焼制御運転での火力レベルを１レベル大きく設定して炎の状態が安定したかを判断するのを繰り返すので、省エネ運転の無人状態での火力固定レベルを炎の状態が安定する最小の火力レベルに固定でき、無人状態で失火するのを防止しつつ無人状態時の燃油の消費を抑えて省エネ運転を行うことができるものである。
【００３９】
又、炎の状態が不安定と判断した時は、今の燃焼制御運転での火力レベルを１レベル大きく設定することを繰り返すが、その結果、火力レベルが省エネの効果が望める火力以上になった時、強制的に省エネ運転の無人状態での火力固定レベルを省エネの効果が望める大きさの上限の火力、本実施例では中火力に固定するので、炎の状態が安定するが消費する燃油量が多くなって省エネ運転にならなくなるのを防止できるものである。
【符号の説明】
【００４０】
１  温風吹出口
５  バーナ
７  燃焼用ファン
８  電磁ポンプ
１０  送風ファン
１１  室温センサ
１７  タイマー部
２３  人体検知手段
２４  制御部
【図１】
2019095195.tif 000003
【図２】
2019095195.tif 000004
【図３】
2019095195.tif 000005